(57)【要約】【課題】結線の邪魔にならないようにし、また誤結線を防止する。【解決手段】開口を持つフランジ付きの箱状に形成されたボディ１０と、開口を閉塞する箱状に形成され、開口に対して裏側の一の面に、端面がスライド面となる十字状のリブ１１１を含むとともに、その各隅部に穿設された端子挿入孔を有するカバー１１Ａと、この一の面に設けられ、各隅部の端子挿入孔のうち各一対の端子挿入孔に先端部が個々に挿入される一対の端子により、それぞれ構成される端子部Ｔ１および端子部Ｔ２と、スライド面に、ツメ部１１４ａ，１１５ａによってスライド自在に設けられる端子カバー１２Ａとを備えた。端子カバー１２Ａは、端子部Ｔ１，Ｔ２を覆うほか、それらのいずれか一方を覆い他方を開放するようにスライド自在となっている。【選択図】  図１
2004234919.tif 000002
【特許請求の範囲】
【請求項１】
開口を有する箱状に形成されたボディと、
このボディの開口を閉塞する形状に形成され、その開口に対して裏側の一の面に、端面がスライド面となるリブを有するとともに、そのリブ近傍に穿設された少なくとも４つの端子挿入孔を有するカバーと、
このカバーの一の面に設けられ、前記リブ近傍の４つの端子挿入孔のうち各一対の端子挿入孔に先端部が個々に挿入される一対の端子により、それぞれ構成される第１端子部および第２端子部と、
前記カバーのリブのスライド面に、保持手段によってスライド自在に設けられる端子カバーと
を備え、
前記端子カバーは、前記第１端子部および第２端子部を覆うほか、前記第１端子部および第２端子部のいずれか一方を覆い他方を開放するようにスライド自在となっている
ことを特徴とする端子付器体。
【請求項２】
前記リブは十字状であってこの十字状のリブの各隅部に前記４つの端子挿入孔が穿設され、
前記カバーは、前記端子カバーのスライド方向と直交する方向における前記十字状のリブの両側に、それぞれ一体に連設され端面がスライド面となる一対の十字状のリブをさらに有し、それら３つのリブのうち、中央のリブのスライド面には、第１凸部が形成されている一方、両側のリブにおける各スライド面の中央側および互いに逆方向に伸びるスライド面の端部側には、前記第１の凸部よりも低い第２凸部がそれぞれ形成され、
前記端子カバーは、自己のスライド範囲を規制するためのものであって前記第１凸部が填り込むスリットと、前記第１端子部および第２端子部を覆っているときに前記複数の第２凸部にそれぞれ填り込む複数の孔とを有している
ことを特徴とする請求項１記載の端子付器体。
【請求項３】
前記保持手段は、前記リブの両側にそれぞれ形成され、そのリブのスライド面とともに前記端子カバーを狭持する一対のツメ部であることを特徴とする請求項１または２記載の端子付器体。
【請求項４】
多重伝送方式を利用して負荷を制御する制御システムにおける熱線センサ付自動スイッチであって、
請求項１から３のいずれかに記載の端子付器体を備え、前記第１端子部および第２端子部のうち、一方の端子部が多重伝送用の信号線が接続される端子部となり、他方の端子部が熱線センサ子器に接続するための端子部となる
ことを特徴とする熱線センサ付自動スイッチ。
【発明の詳細な説明】
【０００１】
【発明の属する技術分野】
本発明は、例えば、多重伝送方式を利用して照明負荷などを制御する制御システムにおいて、２線式の信号線を介して伝送制御装置に接続するための端子部、および熱線センサ子器に接続するための端子部を備えた熱線センサ付自動スイッチの器体として好適な端子付器体、並びにこれを用いた熱線センサ付自動スイッチに関するものである。
【０００２】
【従来の技術】
図１１は上記制御システムに使用される従来の熱線センサ付自動スイッチの分解斜視図である（特許文献１参照）。
【０００３】
図１１に示す従来の熱線センサ付自動スイッチ１は、例えば天井に取付け可能にするべく、窓孔１０１ａが中央に形成され、一対の保持溝１０１ｂが両側のそれぞれに形成されている円状のフランジ部１０１と、この上面中央に一体成形され、係合孔を有する係合突片１０２ａが上縁に４個延設されている筒部１０２とにより構成されるボディ１０を備えているほか、一対のはさみ金具１３と、プレート１４と、回転体１５と、支持部材１６と、プリント基板１７と、カバー１１と、平板状の端子カバー１２とを備えている。
【０００４】
はさみ金具１３は、一対の保持溝１０１ｂにそれぞれ係合する一対の係合突片１３１ａが下端に形成され一方に開口する縦長箱状の支柱１３１と、この上壁および底壁に上下端がそれぞれ挿通されて支柱１３１に回動自在に保持される引締めねじ１３２と、これに螺合する挟み片１３３とにより構成されている。この挟み片１３３は、引締めねじ１３２を回すことで、切欠部１３１ｂから移動して支柱１３１の開口面に沿って下降するようになっている。従って、各はさみ金具１３の一対の係合突片１３１ａをフランジ部１０１の一対の保持溝１０１ｂにそれぞれ係合させて、各はさみ金具１３をボディ１０に着脱可能に取り付け、次いで各さみ金具１３および筒部１０２を天井ボードに形成された取付孔（図示せず）に挿通し、次いで挟み片１３３を下降させれば、上記取付孔の周部近傍のボード上下面にそれぞれ挟み片１３３の先端部下面およびフランジ部１０１の上面が当接（圧接）して、ボディ１０が天井に取り付けられることになる。
【０００５】
プレート１４は、窓孔１０１ａに対応する丸孔１４ａを中央部に有し、フランジ部１０１に係合して保持され、化粧カバーとして機能するものである。
【０００６】
回転体１５は、軸部１５１ａが両端に突設されている半球状の回転枠１５１と、この前面側（図では下側）に結合して窓部となるレンズ（例えばフレネルレンズよりなる多焦点レンズ）１５２と、これら回転枠１５１およびレンズ１５２により内部に収納される検出系プリント基板１５３と、回転枠１５１およびレンズ１５２の結合部分に取り付けられるリング状の保持枠１５４とにより構成されている。
【０００７】
支持部材１６は、押え金具１６１と、これにばね１６２を介して取り付けられる支持棒１６３と、２個のねじ１６４とにより構成され、回転体１５をボディ１０に回動自在に固定するためのものである。すなわち、回転枠１５１の各軸部１５１ａを窓孔１０１ａの周部に形成された下端側から上方に伸びるガイド溝１０１ｃに挿入し、次いで２個のねじ１６４を用いて、ばね１６２を介して支持棒１６３が取り付けられた押え金具１６１をボディ１０にねじ止めすれば、回転体１５の上部が支持棒１６３により弾性的に押接され、回転体１５がボディ１０に回動自在に固定されることになる。
【０００８】
プリント基板１７は、３本のリード線Ｗ１を介して検出系プリント基板１５３と電気的に接続され、２個のねじＢ１によってボディ１０にねじ止めされる。
【０００９】
カバー１１は、筒部１０２の開口部を閉塞可能な箱状に形成されており、この側壁部には、各係合突片１０２ａの係合孔と係合する係合突部１１ａが形成されている一方、上面には、図示しない２線式の信号線を介して伝送制御装置に接続される一対の端子Ｔ１１，Ｔ１２により構成される端子部Ｔ１と、図示しない熱線センサ子器を電線を介して接続するための一対の端子Ｔ２１，Ｔ２２により構成される端子部Ｔ２とが設けられている。これらの端子部Ｔ１，Ｔ２はリード線Ｗ２を介してプリント基板１７に接続される。なお、各端子には、導体線をねじ止めするためのねじが螺着されている。
【００１０】
このような構成の熱線センサ付自動スイッチ１を制御システムに設ければ、操作することなく自動的に照明負荷を制御することが可能になる。
【００１１】
【特許文献１】
特開２０００−１２２４４号公報
【００１２】
【発明が解決しようとする課題】
しかしながら、上記従来の熱線センサ付自動スイッチ１の構成では、図１２に示すように、端子カバー１２が扉式になっているため、結線時に端子カバー１２が立って結線の邪魔となり、施工性が良くなかった。また、多重伝送用の信号線と熱線センサ子器用の信号線（電線）とを誤結線する場合が多かった。
【００１３】
なお、端子カバー押えのツメ部分が欠けやすい問題もあった。
【００１４】
本発明は、上記事情に鑑みてなされたものであり、結線の邪魔にならず、誤結線を防止することができる端子付器体および熱線センサ付自動スイッチを提供することを目的とする。
【００１５】
【課題を解決するための手段】
上記課題を解決するための請求項１記載の端子付器体は、開口を有する箱状に形成されたボディと、このボディの開口を閉塞する形状に形成され、その開口に対して裏側の一の面に、端面がスライド面となるリブを有するとともに、そのリブ近傍に穿設された少なくとも４つの端子挿入孔を有するカバーと、このカバーの一の面に設けられ、前記リブ近傍の４つの端子挿入孔のうち各一対の端子挿入孔に先端部が個々に挿入される一対の端子により、それぞれ構成される第１端子部および第２端子部と、前記カバーのリブのスライド面に、保持手段によってスライド自在に設けられる端子カバーとを備え、前記端子カバーは、前記第１端子部および第２端子部を覆うほか、前記第１端子部および第２端子部のいずれか一方を覆い他方を開放するようにスライド自在となっていることを特徴とする。
【００１６】
請求項２記載の端子付器体は、請求項１記載の端子付器体において、前記リブは十字状であってこの十字状のリブの各隅部に前記４つの端子挿入孔が穿設され、前記カバーは、前記端子カバーのスライド方向と直交する方向における前記十字状のリブの両側に、それぞれ一体に連設され端面がスライド面となる一対の十字状のリブをさらに有し、それら３つのリブのうち、中央のリブのスライド面には、第１凸部が形成されている一方、両側のリブにおける各スライド面の中央側および互いに逆方向に伸びるスライド面の端部側には、前記第１の凸部よりも低い第２凸部がそれぞれ形成され、前記端子カバーは、自己のスライド範囲を規制するためのものであって前記第１凸部が填り込むスリットと、前記第１端子部および第２端子部を覆っているときに前記複数の第２凸部にそれぞれ填り込む複数の孔とを有していることを特徴とする。
【００１７】
請求項３記載の端子付器体は、請求項１または２記載の端子付器体において、前記保持手段は、前記リブの両側にそれぞれ形成され、そのリブのスライド面とともに前記端子カバーを狭持する一対のツメ部であることを特徴とする。
【００１８】
請求項４記載の端子付器体は、多重伝送方式を利用して負荷を制御する制御システムにおける熱線センサ付自動スイッチであって、請求項１から３のいずれかに記載の端子付器体を備え、前記第１端子部および第２端子部のうち、一方の端子部が多重伝送用の信号線が接続される端子部となり、他方の端子部が熱線センサ子器に接続するための端子部となることを特徴とする。
【００１９】
【発明の実施の形態】
（第１実施形態）
図１は熱線センサ付自動スイッチの分解斜視図、図２は同熱線センサ付自動スイッチを側方（ａ）、下（ｂ），（ｃ）および上（ｄ）から見た図、図３は図１中のカバーおよび端子カバーの斜視図、図４は端子カバーをカバーに取り付けた状態で見た斜視図、図５は端子カバーを示す図であり、これらの図を参照しながら本発明の第１実施形態について説明する。
【００２０】
第１実施形態の熱線センサ付自動スイッチ１Ａは、図１，図２に示すように、例えば絶縁樹脂製のボディ１０と、一対のはさみ金具１３と、プレート１４と、回転体１５と、支持部材１６と、プリント基板１７とを従来の熱線センサ付自動スイッチ１と同様に備えているほか、従来の熱線センサ付自動スイッチ１との相違点として、カバー１１Ａと、平板状の端子カバー１２Ａとを備えている。
【００２１】
ただし、プリント基板１７は、ねじＢ１によりカバー１１Ａにねじ止めされるようになっている。また、端子部Ｔ１および端子部Ｔ２は、それぞれ平角ワッシャ付きの端子Ｔ１１，Ｔ１２および端子Ｔ２１，Ｔ２２によりなり、これらの各端子は、下方に伸びる形状の先端部によって、プリント基板１７に接続可能な圧入端子となっている。なお、図２（ａ）中のＣＢは天井ボードである。
【００２２】
カバー１１Ａは、例えば絶縁樹脂製であり、図１，図３，図４に示すように、箱状の筒部１０２本体の下端側に一体成形のフランジ部１０１を持つボディ１０における筒部１０２の開口を閉塞する箱状に形成されている。
【００２３】
そして、カバー１１Ａにおける上記開口に対して裏側の一の面には、端面がスライド面となる３つの十字状のリブ１１１〜１１３が一体成形され、中央のリブ１１１の両側に一対の十字状のリブ１１２，１１３が連設された構造となっている。これらのリブ１１１〜１１３うち、中央のリブ１１１の各隅部には、端子Ｔ１１，Ｔ１２，Ｔ２１，Ｔ２２の先端部をそれそれ挿入するための端子挿入孔ＴＨ１１，ＴＨ１２，ＴＨ２１，ＴＨ２２が穿設されている。なお、図では、リブ１１２，１１３の残りの隅にも同様の孔が穿設されている。
【００２４】
また、端子カバー１２Ａの後述するスライド方向と直交する方向に並ぶリブ１１１〜１１３の両側には、スライド方向に伸びる突片１１４，１１５が立設されており、それら突片１１４，１１５の各中央には、リブ１１１〜１１３のスライド面とともに端子カバー１２Ａを狭持する一対のツメ部１１４ａ，１１５ａが形成されている。
【００２５】
さらに、一体に連設された３つのリブ１１１〜１１３のうち、中央のリブ１１１のスライド面中央には、凸部１１１ａが形成されている。一方、両側のリブ１１２，１１３における各スライド面中央には、凸部１１１ａよりも低い凸部１１２ａ，１１３ａがそれぞれ形成され、リブ１１２，１１３における互いに逆方向に伸びるスライド面の端部側にも、凸部１１１ａよりも低い凸部１１２ｂ，１１３ｂがそれぞれ形成されている。
【００２６】
端子カバー１２Ａは、図１，図３〜図５に示すように、例えば透明の絶縁樹脂製であり、自己のスライド範囲を規制するためのものであって凸部１１１ａが填り込むスリット１２０と、端子部Ｔ１，Ｔ２を覆っているときに凸部１１２ａ，１１３ａ，１１２ｂ，１１３ｂにそれぞれ填り込む孔１２１，１２２，１２３，１２４とを有している。
【００２７】
また、端子カバー１２Ａには、ツメ部１１４ａに対応する切欠溝１２５が形成され、この切欠溝１２５の切欠寸法は、切欠溝１２５の奥（底）側の端子カバー１２Ａの部分にツメ部１１４ａの先端が引っ掛かる程度に設定されている。
【００２８】
このように、ボディ１０、カバー１１Ａおよび端子カバー１２Ａにより構成される端子付器体によれば、端子カバー１２Ａが、端子部Ｔ１，Ｔ２を覆うほか、端子部Ｔ１，Ｔ２のいずれか一方を覆い他方を開放するようにスライド自在となっているので、結線時に端子カバー１２Ａが邪魔にならず、図６に示すように、結線のために端子カバー１２Ａをスライドさせたとき、端子部Ｔ１，Ｔ２のうちいずれか一方が開放されることになるため、誤結線を防止することができる。なお、このような効果は、熱線センサ付自動スイッチ１Ａに限らず、複数の弱電端子部を備えた他の機器に適用した場合にも得ることができることは言うまでもない。
【００２９】
また、３つのリブ１１１〜１１３のうち、中央のリブ１１１のスライド面には凸部１１１ａが形成されている一方、両側のリブ１１２，１１３における各スライド面の中央および互いに逆方向に伸びるスライド面の端部側には、凸部１１１ａよりも低い凸部１１２ａ，１１３ａおよび凸部１１２ｂ，１１３ｂがそれぞれ形成され、端子カバー１２Ａが、自己のスライド範囲を規制するためのものであって凸部１１１ａが填り込むスリット１２０と、端子部Ｔ１，Ｔ２を覆っているときに凸部１１２ａ，１１３ａ，１１２ｂ，１１３ｂにそれぞれ填り込む孔１２１，１２２，１２３，１２４とを有しているので、端子カバー１２Ａのスライド時には凸部１１１ａがスリット１２０に填り込むことにより、スライド範囲の規制に加え、端子カバー１２Ａの外れ防止が可能になり、凸部１１１ａよりも凸部１１２ａ，１１３ａ，１１２ｂ，１１３ｂを低くすることにより、端子部Ｔ１，Ｔ２の双方、一方および他方を覆う３段階のスライド時に、端子カバー１２Ａの破損防止が可能となり、またクリック感を持たせることができる。
【００３０】
また、リブ１１１〜１１３の両側にそれぞれ形成され、リブ１１１〜１１３のスライド面とともに端子カバー１２Ａを狭持する一対のツメ部１１４ａ，１１５ａを設ける構造にすることにより、図３，図４から分かるように、カバー１１Ａに対して端子カバー１２Ａをワンタッチで填め込むことができ、組立てが容易となる。しかも、端子カバー１２Ａに切欠溝１２５を形成したことにより、カバー１１Ａに対する端子カバー１２Ａの装着時において、ツメ部にかかるストレスを低減することができるため、ツメ部の破損防止が可能となる。
【００３１】
さらに、上記構成の端子付器体を熱線センサ付自動スイッチ１Ａの器体として使用し、端子部Ｔ１，Ｔ２のうち、例えば端子部Ｔ１を多重伝送用の信号線が接続される端子部とし、端子部Ｔ２を熱線センサ子器に接続するための端子部とすることにより、結線の邪魔にならず、誤結線を防止することができる熱線センサ付自動スイッチを提供することができる。
【００３２】
なお、第１実施形態では、リブ１１１〜１１３がカバー１１Ａの一の面（例えば図１では上面）から上方に突設し、リブ１１１〜１１３の端面のみがスライド面となっているが、本発明は、これに限らず、例えばリブの端面がカバーの一の面と面一となってカバーの一の面とともにスライド面を形成する構造でもよい。
【００３３】
（第２実施形態）
従来、多重伝送を利用して照明および電動機器の負荷制御を行う制御システムが種々提案されている。例えば、特許文献１に開示されている従来の制御システムでは、機器の施工後、アドレスを変更ないし確認する場合の取外しを不要にすることができる熱線センサ付自動スイッチが使用されている。
【００３４】
しかし、上記などの従来の制御システムでは、機器の施工後、天井に取り付けられる熱線センサ付自動スイッチに対して、制御照明アドレスだけでなく、点灯照度および点灯保持時間を再設定することは、大変手間であった。
【００３５】
図７に、上記問題を解決することができる制御システムの構成図を示す。
【００３６】
この図に示すシステム構成は、熱線センサ付自動スイッチ１Ｂと、熱線センサ子器２と、操作端末器４と、伝送ユニット５とを含む従来と同様の制御システムにおいて、壁に埋設された設定端末器３から得られる多重伝送による各種設定信号で熱線センサ付自動スイッチ１Ｂを設定するようにしたことを特徴とする。
【００３７】
なお、図７の例では、伝送ユニット５は、照明負荷６１および換気扇６２などの負荷６が接続され、伝送制御装置および制御端末器の両方を兼ねたもの（Ｔ／Ｕ付き）になっているが、特許文献１に開示されている従来の制御システムと同様に、伝送ユニット５に代えて、伝送制御装置と、負荷が接続される制御端末器とを備える構成でもよいことは言うまでもない。また、図７中のＬｓは多重伝送用の信号線である。
【００３８】
設定端末器３は、多重伝送信号送受信用の通信部と、照明負荷６１に対応する制御照明アドレス、その照明負荷６１の点灯照度および対応する熱線センサ付自動スイッチ１Ｂに対する点灯保持時間をそれぞれ設定するための設定入力部と、自己アドレスおよび対応する熱線センサ付自動スイッチ１Ｂのアドレスを記憶する記憶部とを備え、設定入力部で設定された設定内容を含む設定信号を、多重伝送により自己の通信部を介して対応する熱線センサ付自動スイッチ１Ｂに送信するものである。
【００３９】
熱線センサ付自動スイッチ１Ｂは、多重伝送信号送受信用の通信部と、周囲の人の居否検出用の人感センサと、周囲の明るさ検出用の明るさセンサと、照明負荷６１に対応する制御照明アドレス、明るさセンサに対する点灯照度、および点灯保持時間を記憶する記憶部と、自己の通信部で設定端末器３からの設定信号が受信されると、その設定信号の内容で自己の記憶部の記憶内容を更新する更新部とを備え、人感センサおよび明るさセンサの両検出結果と記憶部に記憶された設定内容とに基づいて、記憶部に記憶された制御照明アドレスに対応する照明負荷６１のオン／オフ動作を制御するものである。
【００４０】
このオン／オフ動作については、例えば、明るさセンサの検出結果から得られる明るさレベル（照度）が上記点灯照度以下であれば、周囲が暗いとして、人感センサから人の居る検出結果が得られる毎に、点灯保持時間の計時をリセットして、対応する照明負荷６１をオンするためのオン信号を送信する一方、点灯保持時間の計時が終了すれば、対応する照明負荷６１をオフするためのオフ信号を送信するなどの制御が実行される。
【００４１】
また、互いに対応する設定端末器３および熱線センサ付自動スイッチ１Ｂの対応関係（アドレス同士の対応関係）が伝送ユニット５により保持されている。
【００４２】
次に上記構成の熱線センサ付自動スイッチ１Ｂおよび設定端末器３による動作について説明する。
【００４３】
設定端末器３において、制御照明アドレス、点灯照度および点灯保持時間の設定入力があれば、多重伝送によりその設定内容を対応する熱線センサ付自動スイッチ１Ｂに送信する処理が行われる。
【００４４】
すなわち、同期信号、モードデータ、アドレスデータ、制御データ、チェックサムデータおよび信号返送期間からなる伝送信号の同期信号に同期させて、割込信号を発生させるとともに、割込フラグを立てる処理が実行される。
【００４５】
伝送ユニット５において、割込信号を受信すると、モードデータを割込ポーリングモードとするとともに、アドレスデータの上位半数ビットを順次インクリメントさせながら伝送信号を送信する処理が実行される。
【００４６】
設定端末器３において、伝送ユニット５からのアドレスデータの上位半数ビットが自己アドレスの上位半数ビットと一致すれば、信号返送期間に自己アドレスの下位半数ビットを返信信号として送信する処理が実行される。
【００４７】
伝送ユニット５において、返信信号を受信すると、モードデータを監視モードとするとともに、獲得したアドレスをアドレスデータに含めて伝送信号を送信する処理が実行される。
【００４８】
設定端末器３において、伝送信号を受信すると、信号返送期間内に設定内容を含む返信信号を送信する処理が実行される。これにより、設定入力部を通して得られる設定内容が送信されることになる。
【００４９】
伝送ユニット５において、返信信号を受信すると、設定端末器３に対応する熱線センサ付自動スイッチ１Ｂのアドレスおよび設定内容をそれぞれアドレスデータおよび制御データに含めて伝送信号を送信する処理が実行される。
【００５０】
熱線センサ付自動スイッチ１Ｂにおいて、伝送信号を受信すると、アドレスデータを取りだし、それが自己アドレスと一致しているか否かを判定し、この場合は一致するので、制御データを取り込み、その内容で記憶部の記憶内容を更新する処理が実行される。
【００５１】
このようにして、熱線センサ付自動スイッチ１Ｂの制御照明アドレス、点灯照度および点灯保持時間が更新され、それ以降、更新された設定内容を基に、対応する照明負荷６１のオン／オフ制御が実行されることになる。
【００５２】
上記構成によれば、壁に埋設された設定端末器３を操作することにより、制御照明アドレス、点灯照度および点灯保持時間を設定することができるので、施工後の設定変更の煩わしさがなくなり、利用者でも簡単に設定を変更することができる。また、熱線センサ付自動スイッチ１Ｂでオン／オフする照明負荷のレイアウトを容易に変更することができる。
【００５３】
（第３実施形態）
従来、熱線センサ付自動スイッチを複数含む制御システムにおいて、複数の熱線センサ付自動スイッチを連動させて制御するものがなかった。
【００５４】
図８に、複数の熱線センサ付自動スイッチを連動させて制御する制御システムの説明図を示す。
【００５５】
図８に示す多重伝送方式の制御システムは、複数の熱線センサ付自動スイッチ１と、伝送ユニット５Ａとを含み、この伝送ユニット５Ａが、複数の熱線センサ付自動スイッチ１によって人の居ることが検出された順番に応じて、自己に接続された負荷制御を実行することを特徴とする。
【００５６】
この制御システムによれば、エントランスまたは通路などで人の動く方向に応じて制御する照明負荷（６１）を変更することができる。また、出入口では、人の動く方向に合わせて音声案内等の制御も可能となる。
【００５７】
（第４実施形態）
従来、一つの熱線センサ付自動スイッチで、人体検出エリアと点灯照度の設定位置を個々に設定することができなかった。
【００５８】
図９に、人体検出エリアと点灯照度の設定位置を個々に設定することができる熱線センサ付自動スイッチを含む制御システムを示す。
【００５９】
この図の制御システムは、設定端末器３と、操作端末器４と、伝送ユニット５とを図７の制御システムと同様に含んでいるほか、図７の制御システムとの相違点として、熱線センサ付自動スイッチ１Ｃを含んでいる。
【００６０】
熱線センサ付自動スイッチ１Ｃは、図７の熱線センサ付自動スイッチ１Ｂとの相違点として、明るさセンサＢが分離型となっていることを特徴とする。図７の例では、２線式の信号線Ｌが熱線センサ付自動スイッチ本体Ａから引き出されて明るさセンサＢに接続されている。
【００６１】
この制御システムによれば、例えば、倉庫などの場所では奥側ほど暗いため、入口に熱線センサ付自動スイッチ本体Ａを配置し、奥側に分離型の明るさセンサＢを配置することにより、好適な自動照明が可能となる。
【００６２】
（第５実施形態）
図１０は人体検出エリアと点灯照度の設定位置を個々に設定することができる熱線センサ付自動スイッチを含む制御システムを示す図である。
【００６３】
図１０の制御システムは、設定端末器３と、操作端末器４と、伝送ユニット５とを図９の制御システムと同様に含んでいるほか、図９の制御システムとの相違点として、熱線センサ付自動スイッチ１Ｄを含んでいる。
【００６４】
熱線センサ付自動スイッチ１Ｄは、図９の熱線センサ付自動スイッチ１Ｃとの相違点として、明るさセンサＢ’から熱線センサ付自動スイッチ本体Ａ’への信号がワイヤレスで送信されることを特徴とする。
【００６５】
つまり、明るさセンサＢ’には、バッテリおよびワイヤレス信号送信用の送信部が設けられ、熱線センサ付自動スイッチ本体Ａ’には、明るさセンサＢ’からのワイヤレス信号受信用の受信部が設けられるのである。なお、上記ワイヤレス信号には、明るさセンサで検出された周囲の明るさレベル（照度）、または周囲の明るさレベルと点灯照度から得られる周囲が暗いとする検出結果が含まれる。要するに、明るさセンサから得られる検出結果が含まれるのである。
【００６６】
この制御システムによれば、明るさセンサＢ’設置および後付けの施工が容易となるほか、多箇所の照度による点灯制御が可能となる。
【００６７】
【発明の効果】
以上のことから明らかなように、請求項１記載の発明は、開口を有する箱状に形成されたボディと、このボディの開口を閉塞する形状に形成され、その開口に対して裏側の一の面に、端面がスライド面となるリブを有するとともに、そのリブ近傍に穿設された少なくとも４つの端子挿入孔を有するカバーと、このカバーの一の面に設けられ、前記リブ近傍の４つの端子挿入孔のうち各一対の端子挿入孔に先端部が個々に挿入される一対の端子により、それぞれ構成される第１端子部および第２端子部と、前記カバーのリブのスライド面に、保持手段によってスライド自在に設けられる端子カバーとを備え、前記端子カバーは、前記第１端子部および第２端子部を覆うほか、前記第１端子部および第２端子部のいずれか一方を覆い他方を開放するようにスライド自在となっているので、結線時に端子カバーが邪魔にならず、結線のために端子カバーをスライドさせたとき、第１端子部および第２端子部のうちいずれか一方が開放されることになるため、誤結線を防止することができる。
【００６８】
請求項２記載の発明は、請求項１記載の端子付器体において、前記リブは十字状であってこの十字状のリブの各隅部に前記４つの端子挿入孔が穿設され、前記カバーは、前記端子カバーのスライド方向と直交する方向における前記十字状のリブの両側に、それぞれ一体に連設され端面がスライド面となる一対の十字状のリブをさらに有し、それら３つのリブのうち、中央のリブのスライド面には、第１凸部が形成されている一方、両側のリブにおける各スライド面の中央側および互いに逆方向に伸びるスライド面の端部側には、前記第１の凸部よりも低い第２凸部がそれぞれ形成され、前記端子カバーは、自己のスライド範囲を規制するためのものであって前記第１凸部が填り込むスリットと、前記第１端子部および第２端子部を覆っているときに前記複数の第２凸部にそれぞれ填り込む複数の孔とを有しているので、端子カバーのスライド時には第１凸部がスリットに填り込むことにより、スライド範囲の規制に加え、端子カバーの外れ防止が可能になり、第１凸部よりも第２凸部を低くすることにより、第１端子部および第２端子部の双方、一方および他方を覆う３段階のスライド時に、端子カバーの破損防止が可能となり、またクリック感を持たせることができる。
【００６９】
請求項３記載の発明は、請求項１または２記載の端子付器体において、前記保持手段は、前記リブの両側にそれぞれ形成され、そのリブのスライド面とともに前記端子カバーを狭持する一対のツメ部であるので、カバーに対して端子カバーをワンタッチで填め込むことができ、組立てが容易となる。
【００７０】
請求項４記載の発明は、多重伝送方式を利用して負荷を制御する制御システムにおける熱線センサ付自動スイッチであって、請求項１から３のいずれかに記載の端子付器体を備え、前記第１端子部および第２端子部のうち、一方の端子部が多重伝送用の信号線が接続される端子部となり、他方の端子部が熱線センサ子器に接続するための端子部となるので、結線の邪魔にならず、誤結線を防止することができる。
【図面の簡単な説明】
【図１】熱線センサ付自動スイッチの分解斜視図である（第１実施形態）。
【図２】同熱線センサ付自動スイッチを側方（ａ）、下（ｂ），（ｃ）および上（ｄ）から見た図である。
【図３】図１中のカバーおよび端子カバーの斜視図である。
【図４】端子カバーをカバーに取り付けた状態で見た斜視図である。
【図５】端子カバーを示す図である。
【図６】同熱線センサ付自動スイッチの端子カバーの開閉の様子を示す図である。
【図７】再設定が容易となる制御システムの構成図である（第２実施形態）。
【図８】複数の熱線センサ付自動スイッチを連動させて制御する制御システムの説明図である（第３実施形態）。
【図９】人体検出エリアと点灯照度の設定位置を個々に設定することができる熱線センサ付自動スイッチを含む制御システムを示す図である（第４実施形態）。
【図１０】人体検出エリアと点灯照度の設定位置を個々に設定することができる熱線センサ付自動スイッチを含む制御システムを示す図である（第５実施形態）。
【図１１】従来の制御システムに使用される熱線センサ付自動スイッチの分解斜視図である。
【図１２】同熱線センサ付自動スイッチの端子カバーの開閉の様子を示す図である。
【符号の説明】
１Ａ  熱線センサ付自動スイッチ
１０  ボディ
１１Ａ  カバー
１２Ａ  端子カバー
１３  はさみ金具
１４  プレート
１５  回転体
１６  支持部材
１７  プリント基板
【図１】
2004234919.tif 000003
【図２】
2004234919.tif 000004
【図３】
2004234919.tif 000005
【図４】
2004234919.tif 000006
【図５】
2004234919.tif 000007
【図６】
2004234919.tif 000008
【図７】
2004234919.tif 000009
【図８】
2004234919.tif 000010
【図９】
2004234919.tif 000011
【図１０】
2004234919.tif 000012
【図１１】
2004234919.tif 000013
【図１２】
2004234919.tif 000014